(57)【要約】【課題】半透過型液晶ディスプレイの表示モードを変更した際の画像乱れを軽減する。【解決手段】ビデオ信号の偶数フィールドの表示期間をLCDドライバに対するLCD設定情報の供給に割り当て、ビデオ信号の奇数フィールドの表示期間を、EVFドライバに対するEVF設定情報の供給に割り当てる。これにより、偶数フィールド毎、リフレッシュされたLCD設定情報がLCDドライバに供給されることとなる。また、奇数フィールド毎、リフレッシュされたEVF設定情報がEVFドライバに供給されることとなる。本発明は、半透過型液晶ディスプレイを備えるデジタルカメラなどの電子機器に適用することができる。【選択図】図４
2007322588.tif 000002
【特許請求の範囲】
【請求項１】
画面背後に設けられたバックライトの照射光を光源とする透過モードと、画面背後に設けられた反射板により反射される外光を光源とする反射モードを少なくとも含む複数の表示モードを切替可能な半透過型画面と、
前記半透過型画面に表示させるべき画像信号に対し、供給される画面設定情報に基づいて所定の画像信号処理を行う画面駆動手段と、
前記表示モードの変更を指示する指示手段と、
前記指示手段によって指示された変更後の表示モードに対応する表示設定情報を取得し、前記画像信号の奇数フィールドの画像または偶数フィールドの画像のいずれか一方が表示される期間毎、取得した前記表示設定情報に含まれる前記画面設定情報を前記画面駆動手段に供給する供給手段と
を含む表示装置。
【請求項２】
前記半透過型画面に表示させるべき画像信号と同様の画像信号を表示するEVF(Electrical View Finder)と、
前記EVFに表示させるべき画像信号に対し、供給されるEVF設定情報に基づいて所定の画像信号処理を行うEVF駆動手段と
をさらに含み、
前記供給手段は、前記指示手段によって指示された変更後の表示モードに対応する表示設定情報を取得し、前記画像信号の奇数フィールド画像または偶数フィールド画像のいずれか一方が表示される期間毎、取得した前記表示設定情報に含まれる前記画面設定情報を前記画面駆動手段に供給し、他方が表示される期間毎、取得した前記表示設定情報に含まれる前記EVF設定情報を前記EVF駆動手段に供給する
請求項１に記載の表示装置。
【請求項３】
前記供給手段は、前記半透過型画面の検査が指示された場合、検査用の表示設定情報を取得し、前記画像信号の奇数フィールド画像および偶数フィールド画像のそれぞれが表示される期間毎、取得した前記表示設定情報に含まれる前記画面設定情報を前記画面駆動手段に供給し、前記EVFの検査が指示された場合、検査用の表示設定情報を取得し、前記画像信号の奇数フィールド画像および偶数フィールド画像のそれぞれが表示される期間毎、取得した前記表示設定情報に含まれる前記EVF設定情報を前記EVF駆動手段に供給する
請求項２に記載の表示装置。
【請求項４】
前記画面駆動手段または前記EVF駆動手段に入力すべき画像信号に対し、供給される信号処理設定情報に基づいて所定の画像信号処理を行う画像信号処理手段をさらに含み、
前記供給手段は、前記指示手段によって指示された変更後の表示モードに対応する表示設定情報を取得し、取得した前記表示設定情報に含まれる前記信号処理設定情報を前記画像信号処理手段に供給する
請求項２に記載の表示装置。
【請求項５】
前記供給手段は、取得した前記表示設定情報に含まれる前記画面設定情報、前記EVF設定情報、および前記信号処理設定情報を、シリアル通信経路を介して、それぞれに対応する前記画面駆動手段、前記EVF駆動手段、または画像信号処理手段に供給する
請求項４に記載の表示装置。
【請求項６】
画面背後に設けられたバックライトの照射光を光源とする透過モードと、画面背後に設けられた反射板により反射される外光を光源とする反射モードを少なくとも含む複数の表示モードを切替可能な半透過型画面と、
前記半透過型画面に表示させるべき画像信号に対し、供給される画面設定情報に基づいて所定の画像信号処理を行う画面駆動手段とを備える表示装置の表示制御方法において、
前記表示モードの変更指示に対応し、変更後の表示モードに対応する表示設定情報を取得し、前記画像信号の奇数フィールドの画像または偶数フィールドの画像のいずれか一方が表示される期間毎、取得した前記表示設定情報に含まれる前記画面設定情報を前記画面駆動手段に供給する
ステップを含む表示制御方法。
【請求項７】
画面背後に設けられたバックライトの照射光を光源とする透過モードと、画面背後に設けられた反射板により反射される外光を光源とする反射モードを少なくとも含む複数の表示モードを切替可能な半透過型画面と、
前記半透過型画面に表示させるべき画像信号に対し、供給される画面設定情報に基づいて所定の画像信号処理を行う画面駆動手段とを備える表示装置の制御用のプログラムであって、
前記表示モードの変更指示に対応し、変更後の表示モードに対応する表示設定情報を取得し、前記画像信号の奇数フィールドの画像または偶数フィールドの画像のいずれか一方が表示される期間毎、取得した前記表示設定情報に含まれる前記画面設定情報を前記画面駆動手段に供給する
ステップを含む処理をコンピュータに実行させるプログラム。
【発明の詳細な説明】
【技術分野】
【０００１】
本発明は、表示装置および表示制御方法、並びにプログラムに関し、特に、使用条件に応じて透過モードまたは反射モードのいずれか選択される表示モードで動作する半透過型の液晶ディスプレイの表示モード切替時の画質の乱れを抑止するようにした表示装置および表示制御方法、並びにプログラムに関する。
【背景技術】
【０００２】
携帯電話機、デジタルスチルカメラ、デジタルビデオカメラ、PDA(Personal Digital Assistant)などに代表される携帯型電子機器には、その多くに液晶ディスプレイが内蔵されている。
【０００３】
液晶ディスプレイは、画面を照射する光源の違いにより透過型と反射型に大別される。
【０００４】
透過型の液晶ディスプレイは、液晶の背面にバックライトを設け、バックライトからの光により液晶を照射して、画面の明るさを保持するようになされている。透過型の液晶ディスプレイは長所として、表示画面が明るいので暗い場所でも画面を視認し易い点が挙げられる。反対に、その短所として、バックライトを照射するために電力を消費する点が挙げられる。
【０００５】
反射型の液晶ディスプレイは、液晶の背面に反射板を設け、外光を反射板で反射することにより液晶を照射し、画面の明るさを保持するようになされている。反射型の液晶ディスプレイは長所としてバックライトを必要としないので、光源のための消費電力がかからないことが挙げられる。反対に短所としては、暗い場所では画面が見難くなる点が挙げられる。
【０００６】
さらに液晶ディスプレイには、透過型として動作する透過モードと反射型として動作する反射モードの２種類の表示モードを有する半透過型と称するものが存在する。
【０００７】
半透過型の液晶ディスプレイは、明るい場所では反射モードを選択して動作することによって消費電力を抑えることができる。また、暗い場所では透過モードを選択して動作することによってバックライトにより画面に明るさを維持することができる。
【０００８】
半透過型の液晶ディスプレイを内蔵する携帯型電子機器では、透過モードまたは反射モードのいずれか一方の表示モードが選択されたとき、選択された表示モードに対応する表示設定情報を制御部から液晶ディスプレイの表示を制御するLCDドライバに対して供給するようになされている（例えば、特許文献１参照）。
【０００９】
【特許文献１】特開２００３−１６７２２８号公報
【発明の開示】
【発明が解決しようとする課題】
【００１０】
図１は、半透過型の液晶ディスプレイを内蔵する携帯型電子機器の一例であるデジタルスチルカメラにおいて、表示モードが選択されたことに対応して表示設定情報が送信されるタイミングを示している。
【００１１】
表示設定情報の通信は、液晶ディスプレイに表示させる画像の垂直ブランキング期間を利用して送信され、その全体を送信し終える為に５乃至７フレームの表示期間を要していた。図１に示された例では、１垂直ブランキング期間毎に１４項目からなる表示設定情報のうちの２項目(data00、data01など)ずつ送信され、７フレーム（Ｆ：１乃至Ｆ：７）期間をかけて１４項目の表示設定情報が送信されていた。そして、LCDドライバにおいては、受信した項目から順に表示設定情報を変更するようになされていた。
【００１２】
したがって、１４項目の表示設定情報が通信されるこの７フレームの期間においては、表示設定情報が透過モード用のものと反射モードのものが混在するため、明るさや色合いなどのバランスが崩れた異様な画像が液晶ディスプレイに表示されてしまい、この異様な画像がユーザに不快感を与えたり、故障と錯覚させたりしてしまうことがあった。
【００１３】
本発明はこのような状況に鑑みてなされたものであり、透過モードまたは反射モードのいずれか選択される表示モードで動作する半透過型の液晶ディスプレイの表示モード切替時の画質の乱れを抑止するようにするものである。
【課題を解決するための手段】
【００１４】
本発明の一側面である表示装置は、画面背後に設けられたバックライトの照射光を光源とする透過モードと、画面背後に設けられた反射板により反射される外光を光源とする反射モードを少なくとも含む複数の表示モードを切替可能な半透過型画面と、前記半透過型画面に表示させるべき画像信号に対し、供給される画面設定情報に基づいて所定の画像信号処理を行う画面駆動手段と、前記表示モードの変更を指示する指示手段と、前記指示手段によって指示された変更後の表示モードに対応する表示設定情報を取得し、前記画像信号の奇数フィールドの画像または偶数フィールドの画像のいずれか一方が表示される期間毎、取得した前記表示設定情報に含まれる前記画面設定情報を前記画面駆動手段に供給する供給手段とを含む。
【００１５】
本発明の一側面である表示装置は、前記半透過型画面に表示させるべき画像信号と同様の画像信号を表示するEVFと、前記EVFに表示させるべき画像信号に対し、供給されるEVF設定情報に基づいて所定の画像信号処理を行うEVF駆動手段とをさらに含むことができ、前記供給手段は、前記指示手段によって指示された変更後の表示モードに対応する表示設定情報を取得し、前記画像信号の奇数フィールド画像または偶数フィールド画像のいずれか一方が表示される期間毎、取得した前記表示設定情報に含まれる前記画面設定情報を前記画面駆動手段に供給し、他方が表示される期間毎、取得した前記表示設定情報に含まれる前記EVF設定情報を前記EVF駆動手段に供給するようにすることができる。
【００１６】
前記供給手段は、前記半透過型画面の検査が指示された場合、検査用の表示設定情報を取得し、前記画像信号の奇数フィールド画像および偶数フィールド画像のそれぞれが表示される期間毎、取得した前記表示設定情報に含まれる前記画面設定情報を前記画面駆動手段に供給し、前記EVFの検査が指示された場合、検査用の表示設定情報を取得し、前記画像信号の奇数フィールド画像および偶数フィールド画像のそれぞれが表示される期間毎、取得した前記表示設定情報に含まれる前記EVF設定情報を前記EVF駆動手段に供給するようにすることができる。
【００１７】
本発明の一側面である表示装置は、前記画面駆動手段または前記EVF駆動手段に入力すべき画像信号に対し、供給される信号処理設定情報に基づいて所定の画像信号処理を行う画像信号処理手段をさらに含むことができ、前記供給手段は、前記指示手段によって指示された変更後の表示モードに対応する表示設定情報を取得し、取得した前記表示設定情報に含まれる前記信号処理設定情報を前記画像信号処理手段に供給するようにすることができる。
【００１８】
前記供給手段は、取得した前記表示設定情報に含まれる前記画面設定情報、前記EVF設定情報、および前記信号処理設定情報を、シリアル通信経路を介して、それぞれに対応する前記画面駆動手段、前記EVF駆動手段、または画像信号処理手段に供給するようにすることができる。
【００１９】
本発明の一側面である表示制御方法は、画面背後に設けられたバックライトの照射光を光源とする透過モードと、画面背後に設けられた反射板により反射される外光を光源とする反射モードを少なくとも含む複数の表示モードを切替可能な半透過型画面と、前記半透過型画面に表示させるべき画像信号に対し、供給される画面設定情報に基づいて所定の画像信号処理を行う画面駆動手段とを備える表示装置の表示制御方法において、前記表示モードの変更指示に対応し、変更後の表示モードに対応する表示設定情報を取得し、前記画像信号の奇数フィールドの画像または偶数フィールドの画像のいずれか一方が表示される期間毎、取得した前記表示設定情報に含まれる前記画面設定情報を前記画面駆動手段に供給するステップを含む。
【００２０】
本発明の一側面であるプログラムは、画面背後に設けられたバックライトの照射光を光源とする透過モードと、画面背後に設けられた反射板により反射される外光を光源とする反射モードを少なくとも含む複数の表示モードを切替可能な半透過型画面と、前記半透過型画面に表示させるべき画像信号に対し、供給される画面設定情報に基づいて所定の画像信号処理を行う画面駆動手段とを備える表示装置の制御用のプログラムであって、前記表示モードの変更指示に対応し、変更後の表示モードに対応する表示設定情報を取得し、前記画像信号の奇数フィールドの画像または偶数フィールドの画像のいずれか一方が表示される期間毎、取得した前記表示設定情報に含まれる前記画面設定情報を前記画面駆動手段に供給するステップを含む処理をコンピュータに実行させる。
【００２１】
本発明の一側面においては、表示モードの変更指示に対応し、変更後の表示モードに対応する表示設定情報が取得され、前記画像信号の奇数フィールドの画像または偶数フィールドの画像のいずれか一方が表示される期間毎、取得された前記表示設定情報に含まれる前記画面設定情報が前記画面駆動手段に供給される。
【発明の効果】
【００２２】
本発明の一側面によれば、透過モードまたは反射モードのいずれか選択される表示モードで動作する半透過型の液晶ディスプレイの表示モード切替時の画質の乱れを抑止することが可能となる。
【発明を実施するための最良の形態】
【００２３】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２４】
請求項１に記載の表示装置は、画面背後に設けられたバックライトの照射光を光源とする透過モードと、画面背後に設けられた反射板により反射される外光を光源とする反射モードを少なくとも含む複数の表示モードを切替可能な半透過型画面（例えば、図２のLCD３１）と、前記半透過型画面に表示させるべき画像信号に対し、供給される画面設定情報に基づいて所定の画像信号処理を行う画面駆動手段（例えば、図２のLCDドライバ３２）と、前記表示モードの変更を指示する指示手段（例えば、図２の操作キー６０）と、前記指示手段によって指示された変更後の表示モードに対応する表示設定情報を取得し、前記画像信号の奇数フィールドの画像または偶数フィールドの画像のいずれか一方が表示される期間毎、取得した前記表示設定情報に含まれる前記画面設定情報を前記画面駆動手段に供給する供給手段（例えば、図２の表示系制御部３０）とを含む。
【００２５】
請求項２に記載の表示装置は、前記半透過型画面に表示させるべき画像信号と同様の画像信号を表示するEVF(Electrical View Finder)と、前記EVFに表示させるべき画像信号に対し、供給されるEVF設定情報に基づいて所定の画像信号処理を行うEVF駆動手段（例えば、図２のEVFドライバ２２）とをさらに含む。
【００２６】
請求項４に記載の表示装置は、前記画面駆動手段または前記EVF駆動手段に入力すべき画像信号に対し、供給される信号処理設定情報に基づいて所定の画像信号処理を行う画像信号処理手段（例えば、図２の信号処理/CODEC１４）をさらに含む。
【００２７】
請求項５に記載の表示装置は、前記供給手段は、取得した前記表示設定情報に含まれる前記画面設定情報、前記EVF設定情報、および前記信号処理設定情報を、シリアル通信経路（例えば、図２の制御ライン９１，９２）を介して、それぞれに対応する前記画面駆動手段、前記EVF駆動手段、または画像信号処理手段に供給する。
【００２８】
請求項６に記載の表示制御方法および請求項７に記載のプログラムは、前記表示モードの変更指示に対応し（図３のステップＳ１）、変更後の表示モードに対応する表示設定情報を取得し（図３のステップＳ２）、前記画像信号の奇数フィールドの画像または偶数フィールドの画像のいずれか一方が表示される期間毎、取得した前記表示設定情報に含まれる前記画面設定情報を前記画面駆動手段に供給する（図３のステップＳ４）ステップを含む。
【００２９】
以下、本発明を適用した具体的な実施の形態について、図面を参照しながら詳細に説明する。
【００３０】
図２は、本発明の一実施の形態であるデジタルカメラの構成例を示している。このデジタルカメラ１は、動画および静止画を撮影し、撮影結果として得られる画像データを記録するものである。
【００３１】
このデジタルカメラ１は、被写体の光学像を電気信号としての画像データを生成するカメラブロック１０、撮影時に構図を決定するためにユーザが覗いて使用するEVF(Electrical View Finder)２１、表示系制御部３０から供給されるEVF設定情報に基づいてEVF２１の画像表示を制御するEVFドライバ２２、撮影時の構図決定や再生画像を表示するLCD(Liquid Crystal Display)３１、表示系制御部３０から供給されるLCD設定情報に基づいてLCD３１の画像表示を制御するLCDドライバ３２、LCD３１に重畳して設置されユーザの操作を受け付けるタッチパネル３３、撮影時のスルー画像や記録メディア５１などから読み出される画像データをビデオ信号として外部に出力するビデオ出力端子４１、ビデオ信号を増幅するアンプ４２、撮影された画像データ（主に動画像データ）が記録される記録メディア５１、記録メディア５１に対して画像データを読み書きする記録メディアドライブ５２、撮影された画像データ（主に静止画像データ）が記録されるメモリカード５３、メモリカード５３に対して画像データを読み書きするメモリカードコントローラ５４、および、ユーザの操作を受けるける操作キー６０がバス１００を介してデジタルカメラ１の全体を制御する統合制御部７０に接続されて構成される。
【００３２】
また、統合制御部７０には、バス１００を介して制御用のプログラムや後述する表示設定情報などの各種のデータが記録されているROM７２および統合制御部７０の作業領域として使用されるRAM７３が接続されており、統合制御部７０は、ROM７２に記録されている制御プログラムを実行することによってデジタルカメラ１の全体を制御する。
【００３３】
さらに、統合制御部７０には、バス１００を介して外部機器I/F８０が接続される。ここで外部機器としては、デジタルカメラ１の製造過程においてEVF２１やLCD３１などを検査したり、調整したりする検査調整装置などを挙げることができる。
【００３４】
カメラブロック１０は、被写体の光学像を集束させるレンズ１１、入射光量を制限する絞り１２、集束された光学像を画像データに変換するCCD(Charge Coupled Device)センサ１３、および、CCDセンサ１３からの画像データに画像処理を施したり、所定のフォーマットにエンコードしたり、エンコードされている画像データをデコードしたりする信号処理/CODEC１４から構成される。
【００３５】
信号処理/CODEC１４の処理結果として得られる画像データは、バス１００を介して、EVFドライバ２２、LCDドライバ３２、アンプ４２、記録メディアドライバ５２、またはメモリカードコントローラ５４に供給される。
【００３６】
LCD３１は、透過モードまたは反射モードのいずれか一方の表示モードで動作する半透過型の液晶ディスプレイである。透過モードにおいては、LCD３１の液晶の背面に設けられたバックライトが光源とされる。反射モードにおいては、LCD３１の液晶の背面に設けられた反射板により反射された外光が光源とされる。なお、透過モードと反射モードの切替は、例えばタッチパネル３３や操作キー６０に対する操作、あるいは、光度センサ（不図示）の検出結果に基づいて統合制御部７０により実行される。
【００３７】
統合制御部７０は、タッチパネル３３や操作キー６０などを用いて入力されるユーザの操作に対応し、デジタルカメラ１の各部を制御する。統合制御部７０に内蔵された表示系制御部３０は、制御ライン９１を介して信号処理/CODEC１４、EVFドライバ２２、およびLCDドライバ３２を制御し、制御ライン９２を介してアンプ４２を制御する。
【００３８】
制御ライン９１は、動作タイミングを同期させるためのクロック信号が伝送されるクロック信号線XSCK、表示設定情報などのデータがシリアル伝送されるデータ信号線SO、および、EVFドライバ２２またはLCDドライバ３２の一方を選択するためのチップセレクト信号が伝送されるチップセレクト信号線XCSの３本の信号線から成る。
【００３９】
表示系制御部３０は、透過モードまたは反射モードのいずれか一方から他方に変更された場合、新たに選択された表示モードに対応する表示設定情報をROM７２から読み出し、読み出した表示設定情報に含まれるLCD設定情報を制御ライン９１を介してLCDドライバ３２に供給し設定させる。また、読み出した表示設定情報に含まれる信号処理設定情報を制御ライン９１を介して信号処理/CODEC１４に供給し設定させる。
【００４０】
さらに、表示系制御部３０は、読み出した表示設定情報に含まれるEVF設定情報を制御ライン９１を介してEVFドライバ２２に供給し設定させる。なお、透過モードに対応する表示設定情報に含まれるEVF設定情報と、反射モードに対応する表示設定情報に含まれるEVF設定情報とは、異なるものであっても同一のものであってもよい。
【００４１】
なお、表示設定情報に含まれるLCD設定情報およびEVF設定情報は、それぞれ、VCO(Voltage Controlled Oscillator)、コントラスト、輝度、ホワイトバランス等の１６項目から構成される。表示設定情報に含まれる信号処理設定情報は、ガンマ補正値等の情報から構成される。
【００４２】
次に、表示系制御部３０による表示制御処理について、図３のフローチャートを参照して説明する。
【００４３】
ステップＳ１において、表示系制御部３０は、LCD３１の表示モードが透過モードまたは反射モードのいずれか一方から他方に変更されるまで待機する。表示モードが変更された場合、処理はステップＳ２に進む。
【００４４】
ステップＳ２において、表示系制御部３０は、変更後の表示モード、すなわち、新たに選択された表示モードに対応する表示設定情報をROM７２から取得する。ステップＳ３において、表示系制御部３０は、フレームの垂直同期信号に同期し、取得した表示設定情報に含まれる信号処理設定情報を制御ライン９１を介して信号処理/CODEC１４に供給し設定させる。これにより、EVFドライバ２２またはLCDドライバ３２に入力される前の画像データに対して、選択された表示モードに適したガンマ補正などの画像処理が信号処理/CODEC１４によって施される。
【００４５】
ステップＳ４において、表示系制御部３０は、取得した表示設定情報に含まれるLCD設定情報とEVF設定情報を、１フィールド周期毎交互に、制御ライン９１を介してEVFドライバ２２またはLCDドライバ３２に供給し設定させる。
【００４６】
具体的には、例えば図４に示すように、LCD３１に表示すべきビデオ信号の偶数フィールドの表示期間をLCDドライバ３２に対するLCD設定情報の供給に割り当て、ビデオ信号の奇数フィールドの表示期間を、EVFドライバ２２に対するEVF設定情報の供給に割り当てる。
【００４７】
より具体的には、偶数フィールドの表示期間(EVEN)には、チップセレクト信号によりLCDドライバ３２が選択され（図４のXCS_PANEL）、図５に示すように１６項目のLCD設定情報data00乃至data15がクロック信号に同期して制御ライン９１のデータ信号線SOに伝送される。これにより、偶数フィールド毎、リフレッシュされたLCD設定情報がLCDドライバ３２に供給されることとなる。供給されたLCD設定情報は、次の垂直同期信号XVDに同期してLCDドライバ３２に設定される。
【００４８】
一方、奇数フレームの表示期間(Odd)には、チップセレクト信号によりEVFドライバ２２が選択され（図２のXCS_EVF）、図５に示された１６項目のLCD設定情報data00乃至data15と同様のEVF設定情報がクロック信号に同期して制御ライン９１のデータ信号線SOに伝送される。これにより、奇数フィールド毎、リフレッシュされたEVF設定情報がEVFドライバ２２に供給されることとなる。供給されたEVF設定情報は、次の垂直同期信号XVDに同期してEVFドライバ２２に設定される。
【００４９】
この後、所定数のフレーム期間だけステップＳ４の処理が継続された後、この表示制御処理は終了される。
【００５０】
以上に説明した表示制御処理によれば、LCD３１の表示モードが変更された場合、変更後の表示モードに対応するLCD設定情報を奇数フィールドの垂直同期信号に同期して瞬時に設定することができる。また、変更後の表示モードに対応する信号処理設定情報をフレームの垂直同期信号毎に瞬時に設定することができる。この表示モードの変更に要する時間は、１フィールド期間より短いので、従来のように表示モード切替期間の映像の乱れがユーザに認識されることを抑止することができる。
【００５１】
また、デジタルカメラ１が誤作動したような場合においても、１フレーム期間内にLCD３１の画像の乱れを回復することが可能となる。
【００５２】
以上で、表示系制御部３０による表示制御処理の説明を終了する。
【００５３】
なお、上述した表示制御処理においては、偶数フィールドの表示期間にLCD設定情報を伝送し、奇数フィールドの表示期間にEVF設定情報を伝送するようにしたが、逆に、偶数フィールドの表示期間にEVF設定情報を伝送し、奇数フィールドの表示期間にLCD設定情報を伝送するようにしてもよい。
【００５４】
次に、デジタルカメラ１の製造過程において、EVF２１とLCD３１のVCO、コントラスト、輝度、ホワイトバランスなどを検査したり調整したりするときの動作（以下、検査時の処理と称する）について、図６のフローチャートを参照して説明する。
【００５５】
この検査時の処理は、外部機器I/F８０に接続される検査調整装置（不図示）による検査と調整が速やかに完了されるようにするための処理であり、タッチパネル３３あるいは操作キー６０を用いた所定の操作に対応して開始される。
【００５６】
ステップＳ１１において、表示系制御部３０は、外部機器I/F８０に接続される検査調整装置から検査、調整用の表示設定情報を取得する。ステップＳ１２において、表示系制御部３０は、フレームの垂直同期信号に同期し、取得した表示設定情報に含まれる信号処理設定情報を制御ライン９１を介して信号処理/CODEC１４に供給し設定させる。これにより、EVFドライバ２２またはLCDドライバ３２に入力される前の画像データに対して、選択された表示モードに適したガンマ補正などの画像処理が信号処理/CODEC１４によって施される。
【００５７】
ステップＳ１３において、表示系制御部３０は、LCDの検査、調整であるのか、またはEVFの検査、調整であるのかを判定する。LCDの検査、調整であると判定された場合、処理はステップＳ１４に進む。
【００５８】
ステップＳ１４において、表示系制御部３０は、ステップＳ１１で取得した表示設定情報に含まれるLCD設定情報を、１フィールド周期毎に制御ライン９１を介してLCDドライバ３２に供給し設定させる。
【００５９】
具体的には、例えば図７に示すように、LCD３１に表示すべきビデオ信号の偶数フィールドの表示期間をLCDドライバ３２に対するLCD設定情報の供給に割り当て、ビデオ信号の奇数フィールドの表示期間も、LCDドライバ３２に対するLCD設定情報の供給に割り当てる。
【００６０】
これにより、１フィールドごとにリフレッシュされた１６項目のLCD設定情報がLCDドライバ３２に供給されることとなる。供給されたLCD設定情報は、次の垂直同期信号XVDに同期してLCDドライバ３２に設定される。
【００６１】
反対に、ステップＳ１３において、EVFの検査、調整であると判定された場合、処理はステップＳ１５に進む。
【００６２】
ステップＳ１５において、表示系制御部３０は、ステップＳ１１で取得した表示設定情報に含まれるEVF設定情報を、１フィールド周期毎に制御ライン９１を介してEVFドライバ２２に供給し設定させる。
【００６３】
具体的には、例えば図８に示すように、EVF２１に表示すべきビデオ信号の偶数フィールドの表示期間をEVFドライバ２２に対するEVF設定情報の供給に割り当て、ビデオ信号の奇数フィールドの表示期間も、EVFドライバ２２に対するEVF設定情報の供給に割り当てる。
【００６４】
これにより、１フィールドごとにリフレッシュされた１６項目のEVF設定情報がEVFドライバ２２に供給されることとなる。供給されたEVF設定情報は、次の垂直同期信号XVDに同期してEVFドライバ２２に設定される。
【００６５】
ステップＳ１４またはステップＳ１５を経て、処理はステップＳ１６に進む。ステップＳ１６において、表示系制御部３０は、検査時の処理の終了が指示されたか否かを判定し、検査時の処理の終了が指示されるまで、現在の動作、すなわち、１フィールド毎にLCD設定情報またはEVF設定情報を供給し設定させる動作を継続する。そして、検査、調整の終了が指示された場合、この検査時の処理は終了される。
【００６６】
以上説明した検査時の処理によれば、検査対象とするLCD３１またはEVF２１の表示設定情報を１フィールド毎にリフレッシュさせることができるので、LCD設定情報の送信に７フレームを要していた従来の場合や、LCD設定情報１を偶数フィールド毎に送信する場合（図３の表示制御処理の場合）に比較して、LCD３１またはEVF２１の検査、調整を速やかに終了させることができる。
【００６７】
なお、本実施の形態においては、半透過型の液晶ディスプレイをデジタルカメラの例を説明したが、本発明は半透過型の画面を供える電子機器に適用することができる。
【００６８】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータに、記録媒体からインストールされる。
【００６９】
なお、本明細書において、プログラムに基づいて実行されるステップは、記載された順序に従って時系列的に行われる処理はもちろん、必ずしも時系列的に処理されなくとも、並列的あるいは個別に実行される処理をも含むものである。
【００７０】
また、プログラムは、１台のコンピュータにより処理されるものであってもよいし、複数のコンピュータによって分散処理されるものであってもよい。さらに、プログラムは、遠方のコンピュータに転送されて実行されるものであってもよい。
また、本明細書において、システムとは、複数の装置により構成される装置全体を表すものである。
【００７１】
なお、本発明の実施の形態は、上述した実施の形態に限定されるものではなく、本発明の要旨を逸脱しない範囲において種々の変更が可能である。
【図面の簡単な説明】
【００７２】
【図１】従来のデジタルカメラにおける液晶ディスプレイの表示設定情報の送信タイミングを示す図である。
【図２】本発明を適用したデジタルカメラの構成例を示すブロック図である。
【図３】図２のデジタルカメラによる表示制御処理を説明するフローチャートである。
【図４】図３の表示制御処理によるLCD設定情報とEVF設定情報の送信タイミングを示す図である。
【図５】図３の表示制御処理によるLCD設定情報の送信タイミングを示す図である。
【図６】図２のデジタルカメラによる検査時の処理を説明するフローチャートである。
【図７】LCD検査時におけるLCD設定情報の送信タイミングを示す図である。
【図８】EVFD検査時におけるEVF設定情報の送信タイミングを示す図である。
【符号の説明】
【００７３】
１  デジタルカメラ，  １０  カメラブロック，  １４  信号処理/CODEC，  ２１  EVF，２２  EVFドライバ，  ３０  表示系制御部，７０  統合制御部，  ８０  外部機器I/F
【図１】
2007322588.tif 000003
【図２】
2007322588.tif 000004
【図３】
2007322588.tif 000005
【図４】
2007322588.tif 000006
【図５】
2007322588.tif 000007
【図６】
2007322588.tif 000008
【図７】
2007322588.tif 000009
【図８】
2007322588.tif 000010